(57)【要約】      （修正有）【課題】モーメントアームを構成する出力拡大装置を用いて、は発電能力を５０パーセント以上高め低コストな発電装置を提供する。【解決手段】第１モーメントアーム１ａの先端部に平行往復運動用回転入力ギヤ２と油圧駆動モーター３ａを設置する。油圧用ゴムホース取付ノズル３ｂ平行往復運動スピードコントロールギヤ４ａ左右平行往復運動ドライブギヤ４ｂ平行往復運動スピードコントロールギヤ軸５ａに固着される左右平行往復運動ドライブギヤ４ｂと平行往復運動用インナーギヤ１ｃと習パネル上部１ｅと下部１ｄから構成されたモーメントアームの出力拡大装置の製造方法。【選択図】図１
2011085254.tif 000002
【特許請求の範囲】
【請求項１】
第１モーメントアーム（１ａ）の先端部に平行往復運動用回転入力ギヤ（２）と油圧駆動モーター（３ａ）を設置する。
油圧用ゴムホース取付ノズル（３ｂ）平行往復運動スピードコントロールギヤ（４ａ）左右平行往復運動ドライブギヤ（４ｂ）平行往復運動スピードコントロールギヤ軸（５）に固着される左右平行往復運動ドライブギヤ（４ｂ）と平行往復運動用インナーギヤ（１ｃ）と習パネル上部（１ｅ）と下部（１ｄ）から構成されたモーメントアームの出力拡大装置の製造方法。
【請求項２】
前記〔請求項１〕に記載の第一モーメントアーム支点軸（９ｃ）（９ｄ）から構成する平行往復運動から回転運動に変換するギヤ（９ａ）を設置する。
平行往復運動左右からの回転運動入力ギヤ（１３ａ）を構成しワンウェイクラッチ（１１ａ）と回転増速ギヤ（１１ｃ）を連結する。
支点軸（９ｄ）（９ｃ）と接する面にベアリングを設置して、それぞれを構成するギヤの回転速度を自由に設定することのできるモーメントアームを構成した出力拡大装置製造方法。
【請求項３】
ワンウェイクラッチ（１１ｂ）、ベアリング（１１ｅ）、アイドルギヤの回転方向をコントロールする発電機用回転増速ギヤ（１３ｃ）、発電機用回転伝動プーリ（１２ａ）から発電機本体（１５ａ）発電機回転用ベルトとフライホイルを設置する。
左右の平行往復運動を行う第一モーメントアーム（１ａ）に平行往復運動出力拡大スプリングを設置する。
左右の平行往復運動モーメントアーム（１ａ）を電気的にコントロールするリミットスイッチ（７ａ）（７ｂ）を設置することにより第一モーメントアームをコントロールすることのできる出力拡大装置の製造方法
【請求項４】
左右平行往復運動ドライブギヤ（４ｂ）と平行往復運動用インナーギヤとを組み合わせ第一モーメントアーム（１ａ）と支点軸（９ｃ）（９ｂ）に固定され第二モーメントアーム（１ｂ）と平行往復運動左右からの回転運動を入力するギヤ（１３ａ）の回転をワンウェイクラッチ（１１ａ）（１１ｂ）に伝達し、アイドルギヤを回転させ左右の平行往復運動の回転方向を同一方向に調整する。
ベルト（１４ａ）（１４ｂ）の回転によって発電機本体（１５ａ）（１５ｂ）に回転を作ることができるモーメントアームを構成した出力拡大装置の製造方法。
【請求項５】
〔図１〕の説明のように第一モーメントアームの平行往復運動を利用し第二モーメントアームを設置する。
平行往復運動から回転運動を作り発電機により電力を作るモーメントアームを構成した出力拡大装置の製造方法。
【請求項６】
前記〔請求項１〕〔請求項２〕〔請求項３〕に記載する第一モーメントアーム（１ａ）第二モーメントアーム（１ｂ）の各部品から構成する出力拡大装置のモーメントアームの機構に発電機を設置する。
電力を作ると共に構成する出力拡大装置の製造方法の形態である。
第一モーメントアームブロックと第二モーメントアームブロックを造り、その第一モーメントアームブロックよりも第二モーメントブロックの構成する出力を拡大する装置のブロックを並列又は、直列に配列し電力線に（第一モーメントアームブロックよりも第二ブロックモーメントアームブロックの構成する出力を拡大する装置ブロックを並列又は直列に配列したと記入する）接続、拡大した出力電力を作り各個別にモーメントアームブロック形態の製造方法を構成した出力拡大装置の製造方法。
【請求項７】
この発明は二酸化炭素を５０％削減することのできるモーメントアームを構成した出力拡大装置の製造方法を目的とするものである。
【発明の詳細な説明】
【技術分野】
【０００１】  本発明は二次産業に利用する発電機出力を拡大するためモーメントアームの機構から構成し、発電出力を一次側の入力電力より二次側の出力で発電した電力を拡大する装置に関する技術である。
【背景の技術】
【０００２】  従来の発電装置については出力を拡大する装置は発明されていなかった。
【発明の概要】
【発明が解決しようとする課題】
【０００３】  以上に述べた従来の発電機には出力を拡大する装置は発明されていなかった。
【課題を解決するための手段】
【０００４】  本発明は出力を拡大する装置としてモーメントアームを構成する出力拡大装置の製造方法により従来の電力出力技術の欠点を除去して新規なモーメントアームを構成する出力拡大装置の製造方法を提供する。
これにより低燃費で工場、車両、船舶、航空機用発電機や建設用機械に電力を供給するために利用するモーメントアームを構成する出力拡大装置の製造方法はあらゆる産業を実現することを目的とするものである。
環境問題となっている二酸化炭素等５０％以上低減することができる効果を発揮する。
【発明の効果】
【０００５】  上述したように本発明のモーメントアームを構成した出力拡大装置の製造方法による発電機に装着用エンジンの燃料を軽減することと入力用電力を少なく抑えることができるモーメントアームを構成した出力拡大装置の製造方法による発電機を提供できる。
【図面の簡単な説明】
【図１】本発明の実施形態を示すモーメントアームを構成した出力拡大装置の製造方法の斜視図である。
【図２】第一モーメントアーム  第二モーメントアームの平行運動左右の動きを矢印により説明した平面図である。
【図３】第１モーメントアーム（１ａ）及び第２モーメントアーム（１ｂ）が左方向を示す矢印の説明をした平面図である。
【図４】第一モーメントアームと第二モーメントアームから構成した実施例に示す断面図である。
【図５】下部フレームパネル全体を構成する平面図である。
【発明を実施するための形態】
【００１２】  発明の実施の形態を実施例に基づき図面を参照に、部品の分解図を説明する。
下部フレームパネル（１８）のサイズは長さ１９００ミリ×幅１０６０ミリ×高さ１２０ミリである。
この下部フレームパネルを利用して〔図１〕の組み立て説明する平行往復運動用インナーギヤ本体ボディ設置柱（１７）を組付ボルトによって固定される。
第一モーメントアーム（１ａ）を支点軸（９ｃ）として平行往復運動から回転運動に変換する回転増速ギヤ（１３ｃ）、ベアリング（１２ｃ）とフライホイール（１８ａ）を設置する。第１モーメントアーム（１ａ）に平行往復運動スピードコントロールギヤ（４ａ）と第２モーメントアーム（１ｂ）の先端部ベアリング（５ｂ）と左右平行往復運動ドライブギヤ（４ｂ）を設置する。
更に油圧駆動モーター（３ａ）を第１モーメントアーム（１ａ）の先端部に設置し油圧により平行往復運動回転入力ギヤを駆動しながら左右平行往復運動ドライブギヤ（４ａ）の回転を伝達することにより左右平行往復運動ドライブギヤ（４ｂ）を左右平行往復運動することができる。
平行往復運動ギヤ習パネル上部下部（１ｄ）（１ｅ）はインナーギヤ（１ｃ）と左右平行往復運動ドライブギヤ（４ｂ）の脱輪防止用に利用しインナーギヤ本体ボディに設置する柱（１７）を任意に設置し、実施例では６本設置した。
平行往復運動スピード拡大スプリング（８ａ）（８ｂ）をインナーギヤ本体ボディに設置し、柱の左右に任意に設置した。
左右に平行往復運動中の第１モーメントアームに平行往復運動スピード拡大反転スプリングを取り付けることによって衝突エネルギーを和らげると共に左右の平行往復運動エネルギーを１０パーセント拡大することに成功した。
モーメントアームの平行往復運動は電気信号によって作動できる切換リミットスイッチ（７ａ）（７ｂ）によりコントロールしている。
平行往復運動から回転運動に変換するギヤ（９ａ）（９ｂ）を第１モーメントアーム（１ａ）と第２モーメントアーム（１ｂ）の部分に設置し支点軸（９ｃ）（９ｄ）によって固定される。
第１モーメントアーム（１ａ）と第２モーメントアーム（１ｂ）は平行往復運動と同じ動きをする方法である。
これにより左右の往復運動から回転運動を入力するためのギヤ（１３ａ）（１３ｂ）はシャフト軸から構成されるワンウェイクラッチ用スピード増速ギヤ（１１ａ）（１１ｂ）（１１ｃ）（１１ｄ）やシャフト軸固定ベアリング（１１ｅ）などの部品の機構である。
これについて説明すると平行往復運動から回転運動に変換するギヤ（９ａ）（９ｂ）から左右の平行往復運動を回転運動にして入力するためにギヤ（１３ａ）（１３ｂ）の歯車が噛み合い回転するがワンウェイクラッチ（１１ａ）（１１ｂ）（１１ｃ）（１１ｄ）（１１ｅ）はそれぞれ一方向の回転をする。
そのために第１モーメントアーム及び第２モーメントアームの平行運動の左右の動きを２個以上のワンウェイクラッチギヤによって一方向の回転を任意にコントロールできる。
逆転を利用したアイドルギヤ（１２ａ）（１２ｂ）と回転増速ギヤー（１３ａ）（１３ｂ）によりフライホール（１７ａ）（１７ｂ）を回転させ発電機用伝達ベルト（１４ａ）（１４ｂ）によって回転を伝達し発電機を駆動し発電電力を発生させるためのモーメントアームを構成する。
発電機（１５ａ）（１５ｂ）は、モーメントアームから構成された出力拡大装置により駆動するよう構成されている。
このモーメントアームから構成された出力拡大装置の入力側から３馬力の動力を加え下記のトルクメーターを使い実験を行った。
測定装置  トルクメーター        メーカー名  ＯＮＯＳＯＫＵＫＩ
装置番号  ＴＳ−２７００
最高の出力の測定結果は
回転数は１８００ｒｐｍ
トルクは６１Ｎｍ
であった。
従って、計算結果から
出力は１５馬力
となった。
［参考資料］測定結果をグラフ化したものを末尾に添付した。
尚、グラフ上の赤色の折れ線は出力を示し、青色の折れ線はトルクと回転数の関係を示すものである。
【符号の説明】（１ａ）第１モーメントアーム
（１ｂ）第２モーメントアーム
（１ｃ）平行往復運動用インナーギヤ
（１ｄ）平行往復運動ギヤ習いパネル下部
（１ｅ）平行往復運動ギヤ習いパネル上部
（２）  平行往復運動入力回転ギヤ
（３ａ）油圧駆動モーター
（３ｂ）油圧用ゴムホース取付ノズル
（４ａ）平行往復運動スピードコントロールギヤ
（４ｂ）左右平行往復運動ドライブギヤ
（５）平行往復運動スピードコントロールギヤ軸
（６）インナーギヤ組立ボルト
（７ａ）（７ｂ）平行往復運動切換リミットスイッチ
（８ａ）（８ｂ）平行往復運動スピード拡大スプリング
（９ａ）（９ｂ）平行往復運動から回転運動に変換するギヤ
（９ｃ）（９ｄ）（９ｅ）（９ｆ）（９ｇ）（９ｈ）支点軸
（１０）発電機設置軸
（１１ａ）（１１ｂ）（１１ｃ）（１１ｄ）（１１ｅ）ワンウエークラッチギヤ
（１２ａ）（１２ｂ）アイドルギヤ
（１３ａ）（１３ｂ）平行往復運動左右からの回転運動入力ギヤ
（１４ａ）（１４ｂ）ベルト
（１５ａ）（１５ｂ）発電機本体
（１６）インナーギヤ本体ボディ設置柱
（１７ａ）（１７ｂ）フライホイル
（１８）下部フレームパネル
【図１】
2011085254.tif 000003
【図２】
2011085254.tif 000004
【図３】
2011085254.tif 000005
【図４】
2011085254.tif 000006
【図５】
2011085254.tif 000007